(57)【要約】【課題】  操作者が操作パネル近傍にいないときでも、装置の状態を把握できるＸ線照射用ハンドスイッチを備えたＸ線装置を提供する。【解決手段】  撮影台に被検者を位置させ、操作者は操作パネルから照射用ハンドスイッチを取外して持ち、被検者の方に注意を払って一段目の撮影準備スイッチ３ａを押す。Ｘ線装置はＸ線照射準備を行い一定時間経過後に準備完了すると、遮光ケース１９内の発光ダイオード搭載プリント基板１８からの緑発光色が光拡散ケース１７で拡散し準備完了を知らせる。次に、操作者は被検者が呼吸を止めるタイミングを見計らって、２段目の撮影スイッチ４ａを押す。発光ダイオード搭載プリント基板１８からの橙発光色が光拡散ケース１７で拡散し、Ｘ線照射が正常に行われたことを示す。【選択図】          図2
2005065940.tif 000002
【特許請求の範囲】
【請求項１】
デッドマン方式によってＸ線照射を制御するＸ線照射用ハンドスイッチを備えたＸ線装置において、ハンドスイッチ本体に照光装置を設けＸ線装置の状態に応じて発光できるようにしたことを特徴とするＸ線装置。
【請求項２】
前記照光装置に複数の発光色を有することを特徴とする請求項１記載のＸ線装置。
【発明の詳細な説明】
【技術分野】
【０００１】
本発明は、Ｘ線装置に係わり、特に、操作者が手に持って操作し、照射準備状態から照射状態に切換えてＸ線照射する２段階切換式のＸ線照射用ハンドスイッチを備えたＸ線装置に関する。
【背景技術】
【０００２】
従来のＸ線装置の操作パネルを図５に示す。操作パネルはＸ線装置のＸ線制御に関する各種パラメータを設定するための操作器および表示器を備えたユニットで、使用時に操作者がどのような姿勢で操作するかによって、スタンド形操作卓またはデスク形操作卓に操作パネルが設けられ、また、Ｘ線検査室の壁に壁掛け卓の操作パネルが設けられ、その操作パネルの側面に、操作者が手に持って操作しＸ線照射を制御する照射用ハンドスイッチ４０が装備されている。
操作者は、電源のＯＮ状態を操作パネル上の電源表示部３１で確認し、Ｘ線撮影条件を設定するために、撮影術式選択スイッチ３２ａによって撮影術式、例えば、通常の透視撮影、立位撮影、水平位撮影のいずれかを選択する。そして、撮影部位選択スイッチ３２ｂによって被検者の撮影部位、例えば、頭部、胸部、腹部、下肢などのいずれかを選択する。そして、撮影方向選択スイッチ３２ｃによって撮影方向、例えば、正面、側面、背面のいずれかを選択する。そして、被検者厚さ選択スイッチ３２ｄによって被検者の撮影部位の厚さを６段階から選択する。そして、撮影されるフイルム濃度を所定のレベルに濃度設定スイッチ３８で設定する。
装置使用時に、操作者が容易にＸ線撮影条件（管電圧、管電流時間積、または、管電流、撮影時間）の設定を容易にできるように、アナトミカルプログラム方式が採用され、プログラム数は３術式×８部位×３方向×６厚さ＝４３２種類のＸ線条件が、操作パネルに記憶され、（１）撮影術式、（２）撮影部位、（３）撮影方向、（４）被検者厚さの４つを順番に選択するだけで、適切な撮影条件が操作パネルに表示される。そして、条件を変更する時は、管電圧設定スイッチ３５、管電流／管電流時間積設定スイッチ３６、撮影時間設定スイッチ３７および濃度設定スイッチ３８で変更することができる（例えば、非特許文献１参照。）。
【０００３】
撮影操作は、操作パネルの撮影準備スイッチ兼表示器３３と撮影スイッチ兼表示器３４、または、照射用ハンドスイッチ４０の撮影準備スイッチ３３ａと撮影スイッチ３４ａによって行われる。Ｘ線照射の制御はデッドマン方式でなければならないので、従来から操作者が手に持って操作する照射用ハンドスイッチ４０が用いられる。照射用ハンドスイッチ４０は、操作パネルとケーブル５０で接続され、撮影準備スイッチ３３ａと撮影スイッチ３４ａの２段階操作スイッチを備え、１段目の撮影準備スイッチ３３ａを操作すると、Ｘ線装置はＸ線照射準備（Ｘ線管の回転陽極が回転開始等）を行い、一定時間経過後（Ｘ線管の回転陽極が所定の高速回転に達するまでの時間後）に準備完了となる。そして、操作者はＸ線装置に表示される準備完了表示を確認後、被検者が呼吸を止めるタイミングを見計らって、２段目の撮影スイッチ３４ａを操作し、Ｘ線照射を行う。
産業用ロボット等に、このデッドマン方式のハンドスイッチが用いられている（例えば、特許文献１参照。）。
【０００４】
図６に、照射用ハンドスイッチ４０の回路構成を示す。ＣＰＵ４１とＩ／Ｏ４２は操作パネル側に設けられ、撮影準備スイッチ３３ａと撮影スイッチ３４ａは照射用ハンドスイッチ４０に設けられ、操作パネルと照射用ハンドスイッチ４０は図５に示すケーブル５０で接続されている。撮影準備スイッチ３３ａを操作すると、その信号がＩ／Ｏ４２を介してＣＰＵ４１に送られ、ＣＰＵ４１はＸ線照射に必要な準備（Ｘ線管の回転陽極を高速回転させる指令、撮影装置のセット指令など）指令を各所に送り、照射準備完了すればＣＰＵ４１は操作パネル上のランプなど（撮影準備スイッチ兼表示器３３）で準備完了状態の表示を緑色で表示する。操作者はＸ線装置に表示された緑色の準備完了表示を確認後、２段目の撮影スイッチ３４ａを操作すると、その信号がＩ／Ｏ４２を介してＣＰＵ４１に送られ、ＣＰＵ４１は高電圧発生装置に指令を送り、Ｘ線管装置に高電圧が印加されＸ線照射が行われる。このときＣＰＵ４１は操作パネル上のランプなど（撮影スイッチ兼表示器３４）でＸ線照射中の表示を橙色で表示する。
【０００５】
【非特許文献１】宇野往道、外６名、“開業医向け一般撮影装置Ｘ‘ｓｙの開発”、平成２００１年２月２８日発行、「島津評論」（Ｖｏｌ．５７、Ｎｏ．３・４、Ｐ１９５）
【特許文献１】特公平７−９８３１３号公報  （第３頁、第１図）
【発明の開示】
【発明が解決しようとする課題】
【０００６】
従来のＸ線装置のＸ線照射用ハンドスイッチは以上のように構成されているが、健常者を対象とした集団検診におけるＸ線撮影の場合、操作者は被検者から目を離してＸ線装置の操作パネルなどの状況、すなわち、撮影準備完了か否かに気を配る余裕があるが、救急の被検者、高齢者、乳幼児などの被検者から目を離すことが困難である場合、必ずしもＸ線装置の近傍に操作者が位置するとは限らず、Ｘ線装置が照射準備完了か否かわからないという問題がある。
また、Ｘ線照射中表示もＸ線装置の操作パネル上にあるため、操作者の位置から見ることができず、Ｘ線照射が正常に行われたか否か確認できないという問題がある。
また、従来からＸ線装置の状態を音により操作者に知らせる機能はあったが、距離が離れると聞き取りにくく、周囲の雑音にまぎれるという問題があった。
【０００７】
本発明は、このような事情に鑑みてなされたものであって、操作者がＸ線装置の操作パネル近傍にいない場合でも、Ｘ線装置の状態を把握できるＸ線照射用ハンドスイッチを備えたＸ線装置を提供することを目的とする。
【課題を解決するための手段】
【０００８】
上記の目的を達成するため、本発明のＸ線装置は、デッドマン方式によってＸ線照射を制御するＸ線照射用ハンドスイッチを備えたＸ線装置において、ハンドスイッチ本体に照光装置を設けＸ線装置の状態に応じて発光できるようにしたものである。
【０００９】
また、本発明のＸ線装置は、前記照光装置に複数の発光色を有するものである。
【００１０】
本発明のＸ線装置は上記のように構成されており、Ｘ線照射用ハンドスイッチにデッドマン方式の２段操作式のスイッチと、複数の発光色を有する照光装置が設けられ、一段目スイッチ操作によってＸ線装置がＸ線照射準備を行い、一定時間経過後に準備が完了し照光装置が緑色を発光し、二段目スイッチ操作によってＸ線を照射するとＸ線照射中は照光装置が橙色を発光する。操作者は手にＸ線照射用ハンドスイッチを持ち、被検者の方に注意を払って、その照光装置の発光色によってＸ線装置の状態が照射準備完了か否か、Ｘ線照射が正常に行われたかを確認する。
【発明の効果】
【００１１】
本発明のＸ線装置は上記のように構成されており、操作者がＸ線照射用ハンドスイッチを持って、操作パネルから離れ、救急の被検者、高齢者、乳幼児などの近傍に位置し、被検者から目を離すことなく、一段目の撮影準備スイッチを押し、Ｘ線照射用ハンドスイッチに設けられた照光装置の緑色の発光色を検知し、２段目の撮影スイッチを押して橙色の発光色を検知し、Ｘ線照射が正常に行われたことを確認できるので、従来のように、Ｘ線装置の操作パネルに気を取られること無く、Ｘ線装置の近傍にいなくても、Ｘ線照射時に被検者の方に集中することができる。
【発明を実施するための最良の形態】
【００１２】
本発明のＸ線装置は、デッドマン方式によってＸ線照射を制御するＸ線照射用ハンドスイッチ本体に照光装置を設け、Ｘ線装置の状態（撮影準備状態または撮影中）に応じて照光装置を色発光することを実現した。
【実施例１】
【００１３】
本発明のＸ線装置の一実施例を、図１、図２を参照しながら説明する。図１は、本発明のＸ線装置にＸ線照射用ハンドスイッチを操作パネルの側面に取外し可能に装着した図である。図２は、本発明のＸ線装置のＸ線照射用ハンドスイッチの構造を示す図である。
本発明のＸ線装置は、Ｘ線照射用ハンドスイッチにＸ線照射準備を行わせる信号を送る撮影準備スイッチ３ａと、照射準備完了後にＸ線照射を行わせる信号を送る撮影スイッチ４ａと、照射用ハンドスイッチ１０の内部に設けられた発光ダイオード搭載プリント基板１８からなる照光装置と、照光装置からの光を拡散する光拡散ケース１７と、発光した光を遮光する遮光ケース１９と、撮影準備スイッチ３ａ、撮影スイッチ４ａ、発光ダイオード搭載プリント基板１８からの信号をＸ線装置の操作パネルに入出力するケーブル２０と、Ｘ線装置の操作パネル内に設けられ照射用ハンドスイッチ１０からの各信号を入出力する図４に示すＩ／Ｏ２２と、Ｘ線装置の操作パネル内に設けられＩ／Ｏ２２を経由して入出力する信号を受け、Ｘ線装置を照射準備及び設定されたＸ線条件によってＸ線照射させるように信号処理するＣＰＵ２１とから構成される。
【００１４】
本Ｘ線装置と従来の装置と異なるところは、従来の装置のハンドスイッチは、図５、図６に示すように、同様に２段操作式のスイッチであるが、操作者は、撮影準備スイッチ３３ａを操作しＸ線装置が照射準備完了したとき、または撮影スイッチ３４ａを操作しＸ線照射が完了したとき、その確認は操作パネル上の表示部の点灯を見て行われていたが、本Ｘ線装置のＸ線照射用ハンドスイッチでは、撮影準備スイッチ３ａを操作しＸ線装置が照射準備完了したとき、その確認は照射用ハンドスイッチ１０の光拡散ケース１７の拡散光（緑光）を確認すればよい。また、撮影スイッチ４ａを操作し照射を実行し、その期間に光拡散ケース１７の拡散光（橙光）を確認すればよい。手元の照射用ハンドスイッチ１０で確認できるので被検者の方に集中することができる。
【００１５】
本Ｘ線装置の各部の構成について説明する。
撮影準備スイッチ３ａは、照射用ハンドスイッチ１０の一段目のスイッチで、スイッチを押しているときＯＮ状態になり離すと自動的に復帰して元の状態に戻りＯＦＦ状態になるデッドマン形のスイッチで、円筒状の照射用ハンドスイッチ１０の一端に、撮影スイッチ４ａと同心状に設けられ、Ｘ線装置の操作パネルにＸ線照射準備を行わせる信号を送るものである。
撮影スイッチ４ａは、照射用ハンドスイッチ１０の２段目のスイッチとして撮影準備スイッチ３ａの周囲に同心状に設けられたデッドマン形のスイッチで、照射準備完了後にＸ線照射を行わせる信号を送るものである。
図３に、発光ダイオード搭載プリント基板１８の上面図（ａ）及び側面図（ｂ）を示し、図４に、照射用ハンドスイッチ１０の回路図を示す。
照光装置は、照射用ハンドスイッチ１０の内部に設けられ、発光ダイオードが搭載された発光ダイオード搭載プリント基板１８からなる。照射用ハンドスイッチ１０の内部に収納できる寸法のプリント基板１８ａの周辺上部に、緑発光ダイオード１８ｂと橙発光ダイオード１８ｃを交互に等分に搭載配置したもので、撮影準備スイッチ３ａを操作しＸ線装置が照射準備完了したとき、緑発光ダイオード１８ｂが発光するように抵抗２３を挿入し、Ｉ／Ｏ２２とＣＰＵ２１で回路構成され、また、撮影スイッチ４ａを操作しＸ線照射中に、橙発光ダイオード１８ｃが発光するように抵抗２４を挿入し、Ｉ／Ｏ２２とＣＰＵ２１で回路構成される。そして、照射用ハンドスイッチ１０の光拡散ケース１７の近傍に設けられる。
光拡散ケース１７は、照光装置の発光ダイオード搭載プリント基板１８からの光を拡散し、操作者が外部から検知することができるようにしたものである。
遮光ケース１９は、発光ダイオード搭載プリント基板１８で発光した光を外部に漏らさないように遮光するケースで、内面は反射率の良い材質が用いられ、発光した光を光拡散ケース１７の方に反射する。
ケーブル２０は、照射用ハンドスイッチ１０とＸ線装置の操作パネルを電気的に接続するもので、常時、照射用ハンドスイッチ１０は操作パネルの側面に着脱自在に取付けられ、操作者は照射用ハンドスイッチ１０を取り外し手で持って、被検者の方に注意を払って、撮影準備スイッチ３ａと撮影スイッチ４ａを操作する。そして、Ｘ線照射時に撮影準備スイッチ３ａ、撮影スイッチ４ａ、発光ダイオード搭載プリント基板１８からの信号をＸ線装置の操作パネルに入出力する
【００１６】
Ｉ／Ｏ２２は、Ｘ線装置の操作パネル内に設けられ、照射用ハンドスイッチ１０の撮影準備スイッチ３ａ、撮影スイッチ４ａ、発光ダイオード搭載プリント基板１８からの信号を変換して、ＣＰＵ２１に入出力する
ＣＰＵ２１は、Ｘ線装置の操作パネル内に設けられ、Ｉ／Ｏ２２を経由して入力する撮影準備スイッチ３ａ（または撮影準備スイッチ３）からの信号を受け、Ｘ線照射に必要な準備（Ｘ線管の回転陽極を高速回転させる指令、撮影装置のセット指令など）指令を各所に送り、照射準備完了すれば、照射用ハンドスイッチ１０の緑発光ダイオード１８ｂ（および操作パネル上の撮影準備完了表示部１１）に信号を送り、光拡散ケース１７を緑色で表示する。そして、撮影スイッチ４ａ（または撮影スイッチ４）からのＸ線照射信号を受けて、ＣＰＵ２１は高電圧発生装置に指令を送り、Ｘ線管装置に高電圧を印加し、設定されたＸ線条件によってＸ線照射を行う。このときＣＰＵ２１は照射用ハンドスイッチ１０の橙発光ダイオード１８ｃ（および操作パネル上の撮影中表示部１２）に信号を送り、光拡散ケース１７を橙色で表示する。
【００１７】
次に、本Ｘ線装置の操作を、図１を参照しながら、操作パネルの操作とともに説明する。操作者は、まず電源スイッチ１をＯＮ状態にする。次に、被検者の撮影部位をみてＸ線撮影条件を操作パネルで次のように設定する。アナトミカルプログラム機能を有する液晶のタッチパネル２で、撮影術式の選択スイッチによって、通常の透視撮影、立位撮影、水平位撮影のいずれかを選択する。そして、撮影部位選択スイッチによって被検者の撮影部位、例えば、頭部、胸部、腹部、下肢などのいずれかを選択する。そして、撮影方向選択スイッチによって撮影方向、例えば、正面、側面、背面のいずれかを選択する。そして、被検者厚さ選択スイッチによって被検者の撮影部位の厚さを選択する。そして、撮影されるフイルム濃度を所定のレベルに濃度設定スイッチ８で設定する。
上記の設定を行うと、自動的にＸ線管の管電圧、管電流／管電流時間積、撮影時間が操作パネルに表示される。この値を変更したい時には、管電圧設定スイッチ５、管電流／管電流時間積設定スイッチ６、撮影時間設定スイッチ７、ｍＡ／ｍＡｓ切換スイッチ１６、濃度設定スイッチ８によって行うことができる。また撮影術式の変更はタッチパネル２によって行い、自動的にＸ線管選択表示部９が切替わる。また、Ｘ線管焦点の切換は焦点切換スイッチ１５で行う。
操作者は、被検者を撮影台に位置させ、操作パネルにケーブル２０で接続された照射用ハンドスイッチ１０を、操作パネルから取外して手に持ち、被検者の方を向いて、一段目の撮影準備スイッチ３ａを押す。Ｘ線装置がＸ線照射準備を行い、一定の時間後、Ｘ線照射準備が完了し、照射用ハンドスイッチ１０の光拡散ケース１７が緑色に光る（同時に、従来から存在する操作パネルの撮影準備完了表示部１１が緑色に点灯する）。操作者はそれを確認し、二段目の撮影スイッチ４ａを押す。Ｘ線照射が行われ、照射用ハンドスイッチ１０の光拡散ケース１７が橙色に光る（同時に、従来から存在する操作パネルの撮影中表示部１２が橙色に点灯する）。操作者はそれを確認し、Ｘ線照射が正常に行われたことを知る。操作中に危険の警告を知らせる事態が発生した場合、操作パネルの注意表示部１３が赤色に点灯する。また、装置が不具合で設定条件とおり動作しない時には、操作パネルの故障表示部１４が赤色で点灯する。上記のＸ線照射準備およびやＸ線照射は、また、従来とおりに操作パネルの撮影準備スイッチ３および撮影スイッチ４で行うこともできる。
【００１８】
上記の実施例では、発光素子に緑発光ダイオード１８ｂ、橙発光ダイオード１８ｃを用いたが、ランプや蛍光表示管を用いても同様に適用することができる。
【図面の簡単な説明】
【００１９】
【図１】本発明のＸ線装置の実施方法を示した説明図である。（実施例）
【図２】本発明のＸ線装置のＸ線照射用ハンドスイッチの構造を示す図である。
【図３】本発明のＸ線装置のＸ線照射用ハンドスイッチの発光ダイオード搭載プリント基板を示す図である。
【図４】本発明のＸ線装置のＸ線照射用ハンドスイッチの回路を示す図である。
【図５】従来のＸ線装置のＸ線照射用ハンドスイッチを示す図である。
【図６】従来のＸ線照射用ハンドスイッチの回路を示す図である。
【符号の説明】
【００２０】
１  電源スイッチ
２  タッチパネル
３  撮影準備スイッチ
３ａ  撮影準備スイッチ
４  撮影スイッチ
４ａ  撮影スイッチ
５  管電圧設定スイッチ
６  管電流／管電流時間積設定スイッチ
７  撮影時間設定スイッチ
８  濃度設定スイッチ
９  Ｘ線管選択表示部
１０  照射用ハンドスイッチ
１１  撮影準備完了表示部
１２  撮影中表示部
１３  注意表示部
１４  故障表示部
１５  焦点切換スイッチ
１６  ｍＡ／ｍＡｓ切換スイッチ
１７  光拡散ケース
１８  発光ダイオード搭載プリント基板
１８ａ  プリント基板
１８ｂ  緑発光ダイオード
１８ｃ  橙発光ダイオード
１９  遮光ケース
２０  ケーブル
【図１】
2005065940.tif 000003
【図２】
2005065940.tif 000004
【図３】
2005065940.tif 000005
【図４】
2005065940.tif 000006
【図５】
2005065940.tif 000007
【図６】
2005065940.tif 000008